(57)【要約】【課題】調光パネルの端部における視認性を低下させることができる調光パネルおよび連接パネル装置を提供する。【解決手段】透光率を制御可能な透光率制御シート１１を２枚の透光性を有する板材１２，１３で挟み込むことにより構成される調光パネル１０であって、透光率制御シート１１の幅寸法Ｗ１は、板材１２，１３の幅寸法Ｗ２，Ｗ３より短寸であり、少なくとも一方の板材１２には、表面１２ａと側端面１２ｂとを結ぶテーパ面１２ｃが形成されており、表面１２ａとテーパ面１２ｃの境界部１２ｄから側端面１２ｂまでの幅寸法Ｗ５は透光率制御シート１１の側端面１１ｂから板材１２の側端面１２ｂまでの幅寸法Ｗ４よりも同寸以上である。【選択図】図５
2019082579.tif 000002
【特許請求の範囲】
【請求項１】
透光率を制御可能な透光率制御シートを２枚の透光性を有する板材で挟み込むことにより構成される調光パネルであって、
前記透光率制御シートの幅寸法は、前記板材の幅寸法より短寸であり、
少なくとも一方の前記板材には、表面と側端面とを結ぶテーパ面が形成されており、前記表面と前記テーパ面との境界部から前記側端面までの幅寸法は、前記透光率制御シートの側端面から前記板材の側端面までの幅寸法以上であることを特徴とする調光パネル。
【請求項２】
前記テーパ面は、前記境界部から前記側端面にかけて平面状に形成されていることを特徴とする請求項１に記載の調光パネル。
【請求項３】
前記テーパ面は、斜辺であり、前記境界部から前記板材の側端面までの幅寸法である第１辺と、前記境界部から前記板材の側端面までの厚み寸法である第２辺と、により直角三角形を形成しており、前記第１辺よりも前記第２辺が短寸であることを特徴とする請求項１または２に記載の調光パネル。
【請求項４】
前記テーパ面は、一方の前記板材および他方の前記板材に形成されていることを特徴とする請求項１ないし３のいずれかに記載の調光パネル。
【請求項５】
前記テーパ面は、微細凹凸が形成されていることを特徴とする請求項１ないし４のいずれかに記載の調光パネル。
【請求項６】
隣接する前記調光パネルの対向する側端面が接続部材で連結されることにより、複数の前記調光パネルが連接されて成ることを特徴とする請求項１ないし５のいずれかに記載の調光パネルを連接した連結パネル装置。
【発明の詳細な説明】
【技術分野】
【０００１】
本発明は、調光パネルと、該調光パネルが連接されて成る連接パネル装置に関する。
【背景技術】
【０００２】
従来、複数のパネルを連接して建物内の部屋や空間を小さな領域に区画し、会議室等の室を構成可能な、間仕切りパネル装置が知られている。パネルに調光パネルを用いて、調光パネルの透光率を上げて透明状態とすることで開放感のある室内空間を作り出すとともに、調光パネルの透光率を下げて透明度が低い状態とすることでプライバシーの確保された室内空間を作り出して、室内空間の雰囲気を切り換えるものもあった（特許文献１）。
【０００３】
特許文献１に記載の間仕切りパネル装置にあっては、隣接する調光パネルは、対向する端部が上面視横向きＨ字状の縦フレームの溝部に挿嵌されることで互いに連結されている。調光パネルは、電圧の印加により透光率が変化する透光率制御シートを２枚の透光性を有する板材で挟み込むことで構成されている。一方、特許文献１には詳細には説明されていないが、一般に、調光パネルは２枚の板材に透光率制御シートを挟み一体に構成した後、端部を加工することがあり、透光率制御シートの幅寸法を板材の幅寸法よりも短尺にして透光率制御シートの破損を防いでいた。これにより、調光パネルの端部において透光率制御シートが介在されず板材だけで構成される部分が生じるものの、当該端部は透明度の低い縦フレームに挿嵌され覆われていることから、調光パネルの調光状態に悪影響を及ぼすことはなかった。しかしながら、このような間仕切パネルは、隣接する調光パネルが透明度の低い縦フレームによって連結されていることから、隣接する調光パネルの境目において幅広の縦フレームが見えるため、隣接する調光パネル同士は分断された印象を受けるものであった。
【０００４】
一般的に、透明な板材で構成された複数の透明パネルが連接されて成る間仕切りパネル装置においては、隣接する透明パネルそれぞれの対向する側端面の間に接着剤が塗布された透明度の高い接続部材を介在させて隣接する透明パネルを連接・固定するものがある（特許文献２）。このような間仕切パネルは、隣接する透明パネルの対向する側端面が透明の接続部材によって連結されているとともに、隣接する透明パネルの端部の表裏はそれぞれ露出していることから、隣接する透明パネルの境目の接続部材が目立ち難く、複数の透明パネルを連接したことによる一体感を演出することができるため、美観性を高めることができる。
【先行技術文献】
【特許文献】
【０００５】
【特許文献１】特許第５２２５８３０号公報（第４頁、第６図）
【特許文献２】特表第２０１５−５２４０２９号公報（第１３，１４頁、第２図）
【発明の概要】
【発明が解決しようとする課題】
【０００６】
しかしながら、特許文献１に記載の連接パネル装置の調光パネルを特許文献２に記載の接続部材を用いて連接すると、一体感を演出し、美観性を高めることができるものの、調光パネルの端部において板材だけで構成される部分が露出していることから、当該端部は調光パネルの調光状態によってはその透光率が調光パネルの中央とは異なることとなり、調光パネルを透明度が低い状態にした際に、板材だけで構成される透明な調光パネルの端部を介して室内の外（内）側から内（外）側が見られてしまう虞があった。
【０００７】
本発明は、このような問題点に着目してなされたもので、調光パネルの端部における視認性を低下させた調光パネルおよび間仕切パネル装置を提供することを目的とする。
【課題を解決するための手段】
【０００８】
前記課題を解決するために、本発明の調光パネルは、
透光率を制御可能な透光率制御シートを２枚の透光性を有する板材で挟み込むことにより構成される調光パネルであって、
前記透光率制御シートの幅寸法は、前記板材の幅寸法より短寸であり、
少なくとも一方の前記板材には、表面と側端面とを結ぶテーパ面が形成されており、前記表面と前記テーパ面との境界部から前記側端面までの幅寸法は、前記透光率制御シートの側端面から前記板材の側端面までの幅寸法以上であることを特徴としている。
この特徴によれば、透光率制御シートが配設されていない調光パネルの端部を光が透過する際に、テーパ面に入射する光は反射・屈折することから、調光パネルのテーパ面の部分は表面の部分よりも手前から向こう側が見え難くなっている。これにより、調光パネルの端部における視認性を低下させることができる。
【０００９】
前記テーパ面は、前記境界部から前記側端面にかけて平面状に形成されていることを特徴としている。
この特徴によれば、板材の表面に対して略垂直方向に進行する光は、テーパ面の場所によらず輝度が略均一となるため、輝度の強度差が小さくテーパ面は目立ち難い。
【００１０】
前記テーパ面は、斜辺であり、前記境界部から前記板材の側端面までの幅寸法である第１辺と、前記境界部から前記板材の側端面までの厚み寸法である第２辺と、により直角三角形を形成しており、前記第１辺よりも前記第２辺が短寸であることを特徴としている。
この特徴によれば、板材の厚み方向に移動する光がテーパ面に入射した際に、全反射され難くなり、テーパ面が暗色に視認されることを防止できる。
【００１１】
前記テーパ面は、一方の前記板材および他方の前記板材に形成されていることを特徴としている。
この特徴によれば、一方および他方の板材における各テーパ面において、それぞれに入射する光が反射・屈折することから、調光パネルの端部における視認性をより低減することができる。
【００１２】
前記テーパ面は、微細凹凸が形成されていることを特徴としている。
この特徴によれば、テーパ面の微細凹凸により、光が拡散反射されるため、テーパ面における透明度を低下させることができる。
【００１３】
本発明の連接パネル装置は
隣接する前記調光パネルの対向する側端面が接続部材で連結されることにより、複数の前記調光パネルが連接されて成る連接パネル装置であることを特徴としている。
この特徴によれば、連接された調光パネルを透明度が低い状態とした際に、隣接する調光パネル同士が連接される部分においても視認性を低下させることができることから、配設される調光パネルの幅方向に亘って視認性を低下させることができる。
【図面の簡単な説明】
【００１４】
【図１】本発明の実施例１における連接パネル装置を室外側から見た図である。
【図２】実施例１における調光パネルを透明度が低い状態とした連接パネル装置を室外側から見た図である。
【図３】実施例１における調光パネルの分解斜視図である。
【図４】実施例１における調光パネルの側端部の断面図である。
【図５】実施例１における透明度が低い状態の調光パネルの側端部において室外側から室内側に透過または拡散反射する光を表した模式図である。
【図６】本発明の実施例２における調光パネルの側端部の断面図である。
【図７】本発明の実施例３における調光パネルの側端部の断面図である。
【発明を実施するための形態】
【００１５】
本発明に係る調光パネルおよび該調光パネルを連接した連接パネル装置を実施するための形態を実施例に基づいて以下に説明する。
【実施例１】
【００１６】
実施例１に係る調光パネルおよび該調光パネルを連接した間仕切パネル装置（連接パネル装置）につき、図１から図５を参照して説明する。以下、図１の紙面手前側を室外側とし、図１の紙面奥側を室内側とし、調光パネルおよび連接パネル装置を室外側から見たときの上下左右方向を基準として説明する。
【００１７】
また、図５において、調光パネルの端部を透過する光の進行を矢印で図示しているが、これらは説明を助けるための模式的なものであって正確なものではなく、調光パネルの端部以外の場所を透過する光については図示を省略している。
【００１８】
図１，図２に示されるように、間仕切パネル装置１は、例えば、学校やオフィス等の建物内の部屋や空間を小さな領域に区画に分割し、会議室等の室Ｒを構成するために、天井Ｃから床面Ｆに亘って複数の調光パネル１０，１０，…が該調光パネル１０の幅方向に連接されて成る。このような調光パネル１０は、電力の印加により透光率が変化するため、調光パネルの透光率を上げて透明状態（図１参照）とすることにより室Ｒを開放感のある空間へと変化させるとともに、調光パネルの透光率を下げて透明度が低い状態、例えばいわゆるスリガラスのような白濁状態（図２参照）とすることにより室Ｒをプライバシーの確保された空間へと変化させ、室Ｒの雰囲気を切り換えることができる。尚、透明度が低い状態は、調光パネルの透光率が下げられていればよく、不透明な状態でも半透明な状態でよい。
【００１９】
間仕切パネル装置１は、天井Ｃに固定される上部パネル支持体２と、床面Ｆに固定される下部パネル支持体３と、上部パネル支持体２と下部パネル支持体３との間に配設される複数の調光パネル１０，１０，…と、から主に構成されており、図１の吹出し内に示されるように、隣接する調光パネル１０，１０は、それぞれの対向する側端面１０ｂ，１０ｂ’の間に配設される両面に接着剤が塗布された透明度の高い接続部材４により連結されている。
【００２０】
次に、図３，図４を用いて、調光パネル１０について説明する。調光パネル１０は、電力が印加されることにより透光率を制御可能な透光率制御シート１１を２枚の高い透光性を有する板材１２，１３で挟み込むことにより構成されている。尚、本実施例における板材１２，１３は、透明度の高いポリカーボネートで形成されたガラスであるが、アクリル樹脂やソーダ石灰等の他のガラスでもよく、透明度が低い（半透明の）ガラスであってもよい。
【００２１】
透光率制御シート１１は、微小な棒状の液晶分子が無数に内在している液晶体１４と、この液晶体１４に電界を加えるための無色透明な電極板１５，１６と、から形成されている。すなわち、透光率制御シート１１の側方側の側端面１１ｂ，１１ｂ’は、液晶体１４の側方側の側端面１４ｂ，１４ｂ’と、電極板１５の側方側の側端面１５ｂ，１５ｂ’と、電極板１６の側方側の側端面１６ｂ，１６ｂ’と、から構成されている。以降、単に透光率制御シート１１の側端面１１ｂ，１１ｂ’として説明する。
【００２２】
透光率制御シート１１の幅寸法Ｗ１は、板材１２，１３の幅寸法Ｗ２，Ｗ３より短寸であり、透光率制御シート１１の幅方向における中心線と板材１２，１３の幅方向における中心線とが、調光パネル１０の厚み方向において重ねた状態で配設されている。これにより、調光パネル１０の側端面１０ｂ，１０ｂ’側それぞれにおいて透光率制御シート１１は板材１２，１３よりも幅寸法Ｗ４短寸（図４参照）となっている。すなわち、調光パネル１０の側方側の側端面１０ｂ，１０ｂ’は、板材１２の側方側の側端面１２ｂ，１２ｂ’と、板材１３の側方側の側端面１３ｂ，１３ｂ’と、から構成されている。
【００２３】
また、透光率制御シート１１の側端面１１ｂ，１１ｂ’は、調光パネル１０の側端面１０ｂ，１０ｂ’それぞれから幅方向の中心線側に幅寸法Ｗ４離間していることから、例えば、板材１２，１３に透光率制御シートを挟み一体に構成された後、板材１２，１３の端部に水をかけながら研磨するような加工を行う際に、水が透光率制御シート１１にかかり難い。このように、板材１２，１３の端部の加工による透光率制御シート１１の破損が防止されている。
【００２４】
図３，図４に示されるように、板材１２は、室Ｒ内側において、幅方向に平面上に延びる表面１２ａと側方側の各側端面１２ｂ，１２ｂ’とを結ぶ平面状の各テーパ面１２ｃ，１２ｃ’が板材１２の上下方向に亘って形成されており、表面１２ａと各テーパ面１２ｃ，１２ｃ’との境目である境界部１２ｄ、１２ｄ’が形成されている。
【００２５】
また、板材１３は、室Ｒの外側の通路Ａ側において、幅方向に平面上に延びる表面１３ａと側方側の各側端面１３ｂ，１３ｂ’とを結ぶ各面取り面１３ｃ，１３ｃ’が板材１３の上下方向に亘って形成されている。
【００２６】
ここで、透光率制御シート１１の透光率が変化する態様について説明する。液晶体１４は、図示しない導線を介して電力が電極板１５，１６に印加されていなければ、無数の液晶分子が不規則に配列された状態となるため、調光パネル１０に入射された光が液晶分子により拡散反射し易い。結果として調光パネル１０の透光率が低くなり、調光パネル１０は透明度が低い状態となる（図２参照）。一方、導線を介して電力が電極板１５，１６に印加されていれば、無数の液晶分子が液晶体１４の厚み方向に沿って規則正しく配列された状態となるため、調光パネル１０に入射された光が液晶分子により拡散反射し難い。結果として調光パネル１０の透光率が高くなり、調光パネル１０が透明状態となる（図１参照）。
【００２７】
次に、図４を用いて、調光パネル１０の側端面１０ｂ側である端部１０ｃ及びその近傍について説明する。尚、鏡映対象状に形成されている調光パネル１０の側端面１０ｂ’側の説明を省略する。さらに尚、以降の説明において特に断らない限り、調光パネル１０の側端面１０ｂ’側の説明については、調光パネル１０の側端面１０ｂ側と同一であるものとする。
【００２８】
板材１２は厚み寸法Ｔ１で形成されており、板材１３は厚み寸法Ｔ５で形成されており、厚み寸法Ｔ１と厚み寸法Ｔ５は略同一寸法である（Ｔ１＝Ｔ５）。尚、本実施例においては、厚み寸法Ｔ１，Ｔ５は、３ｍｍとして設定しているが、具体的な数値を限定するものではなく、以下の数値についても同様である。さらに尚、厚み寸法Ｔ１，Ｔ５は、互いに異なる寸法であってもよい。
【００２９】
板材１２のテーパ面１２ｃは、斜辺であり、板材１２の境界部１２ｄから板材１２の側端面１２ｂまでの幅寸法Ｗ５である長辺Ｓ１（第１辺）と、境界部１２ｄから板材１２の側端面１２ｂまでの厚み寸法Ｔ２である短辺Ｓ２（第２辺）と、により直角三角形を形成している。境界部１２ｄから裏面１２ｅ側に向けて傾斜している。これにより、板材１２の側端面１２ｂは、厚み寸法Ｔ３に形成されており、厚み寸法Ｔ２より僅かに短寸となっている。尚、長辺Ｓ１は、短辺Ｓ２よりも長い寸法である（Ｓ１＞Ｓ２）ことが好ましく、特に１．２倍以上である（Ｓ１／Ｓ２＞１．２）ことが好ましい。本実施例においては、幅寸法Ｗ５を３ｍｍ、厚み寸法Ｔ２を√３ｍｍとして設定しており、長辺Ｓ１よりも短辺Ｓ２が短寸となっている。
【００３０】
これにより、長辺Ｓ１と板材１２のテーパ面１２ｃとの間の角度が４０度未満（本実施例では３０度）となる。ここで、ガラス板の屈折率は一般的に１．４−２．１であり、臨界角は約４４度−約２８度であることから、長辺Ｓ１と板材１２のテーパ面１２ｃとの間の角度を臨界角未満とすることができる。このことから、板材１２，１３の厚み方向に移動する光が板材１２のテーパ面１２ｃに入射した際に、全反射され難い。これにより、テーパ面１２ｃに入射した光は、テーパ面１２ｃにおいて反射・屈折することから、全反射の状態となってテーパ面が暗色に視認されることを防止できる。
【００３１】
また、幅寸法Ｗ５は、幅寸法Ｗ４よりも長尺に形成されている。調光パネル１０を室Ｒ内側において板材１２の表面１２ａに対して略垂直方向から見た際に、テーパ面１２ｃの一部と透光率制御シート１１の側端面１１ｂ側の端部１１ｃとが重なっている。また、板材１２，１３の対向する裏面１２ｅ，１３ｅの間に、透光率制御シート１１が挟まれているため、板材１２，１３は透光率制御シート１１の厚み寸法Ｔ４離間している。これらにより、板材１２，１３および透光率制御シート１１によって上面視コ字状に画成された空隙１７が形成されている。尚、本実施例においては、幅寸法Ｗ４は２ｍｍである。
【００３２】
ここで、接続部材４について説明する。接続部材４は、図４に破線で示されるように、板材１２のテーパ面１２ｃよりも室Ｒ内側および板材１３の面取り面１３ｃよりも通路Ａ側に突出しないように接着されて側端面１０ｂに取り付けられている。
【００３３】
このように、隣接する調光パネル１０，１０の対向する側端面１０ｂ，１０ｂ’は透明の接続部材４によって連結されているとともに、隣接する調光パネル１０，１０の側端面１０ｂ，１０ｂ’側（端部）の表裏面であるテーパ面１２ｃ，表面１３ａはそれぞれ室Ｒ側，通路Ａ側に露出していることから、隣接する調光パネル１０，１０の境目の接続部材４が目立ち難く、複数の調光パネル１０，１０，…を連接したことによる一体感を演出することができるため、美観性を高めることができる。
【００３４】
次に、図５を用いて、通路Ａ側からの透明度が低い状態にある調光パネル１０の見え方について説明する。
【００３５】
図５に示されるように、調光パネル１０における透光率制御シート２２が配設された部分については、透光率制御シート１１に入射された光が液晶分子により拡散反射されており、透明度が低い状態にある。このため、透光率制御シート１１が配置されている部分については、通路Ａ側から室Ｒ内側を見た際に、白濁状態として視認され、通路Ａ側から室Ｒ内側を視認することができない、または視認し難くなっている。
【００３６】
調光パネル１０の端部１０ｃには、室Ｒ内側に板材１２のテーパ面１２ｃが配設されているとともに、透光率制御シート１１の端部１１ｃは、調光パネル１０の厚み方向においてテーパ面１２ｃと重なっている。このことから、板材１２の端部１０ｃにおける境界部１２ｄ側は、白濁状態として視認される。一方、板材１２の端部１０ｃにおける空隙１７の部分は、テーパ面１２ｃに入射する光Ｌ１が反射・屈折するため、テーパ面１２ｃが形成されず幅方向に平行な平面である場合に比べ、通路Ａ側から室Ｒ内側が見え難くなっている。
【００３７】
尚、透光率制御シート１１の端部１１ｃが調光パネル１０の厚み方向において、板材１２のテーパ面１２ｃと重なっている状態は、透光率制御シート１１の端部１１ｃと境界部１２ｄとが調光パネル１０の厚み方向において同じ位置に位置する状態（Ｗ４＝Ｗ５）も含む。
【００３８】
また、板材１２のテーパ面１２ｃは、平面状に形成されていることから、板材１２の表面１２ａまたは板材１３の表面１３ａに対して略垂直方向に進行する光は、テーパ面１２ｃの場所によらず輝度が略均一となるため、輝度の強度差が小さくテーパ面１２ｃは目立ち難い。
【００３９】
尚、室Ｒ内側からの透明度が低い状態にある調光パネル１０の見え方については、通路Ａ側からの見え方と略同一態様であるため、説明を省略する。
【００４０】
これらにより、間仕切パネル装置１の調光パネル１０，１０，…の透明度が低い状態であるとき、通路Ａから室Ｒ内を視認し難くなっていることから、室Ｒ内をプライバシーの確保された空間へと変化させることができる。また、室Ｒ内から通路Ａを視認し難くなっていることから、室Ｒ内を打合せや作業に集中し易い空間へと変化させることができる。
【００４１】
また、調光パネル１０，１０を連接したときの一体感は、表面１３ａには、テーパ面１２ｃが形成されておらず、幅方向の平面が広いため、通路Ａ側からの視認した場合により優れる。尚、通路Ａ側にテーパ面１２ｃを有する板材１２を配置してもよい。
【００４２】
また、隣接する調光パネル１０，１０の対向する側端面１０ｂ，１０ｂ’は接続部材４で連結されることにより、複数の調光パネル１０，１０，…が連接されて成る間仕切パネル装置１は、連接された調光パネル１０，１０，…を透明度が低い状態とした際に、隣接する調光パネル１０，１０同士が連接される部分においても視認性を低下させることができることから、配設される調光パネル１０，１０，…の幅方向に亘って視認性を低下させることができる。
【実施例２】
【００４３】
次いで、実施例２に係る調光パネル１１０につき、図６を参照して詳しく説明する。尚、前記実施例１と同一構成で重複する構成を省略する。また、複数の調光パネル１１０，１１０，…を連接した間仕切パネル装置については、調光パネル１１０以外の構成は図１，２と同様であるため、図示・説明を省略する。
【００４４】
図６に示されるように、調光パネル１１０は、透光率制御シート１１を２枚の高い透光性を有する板材１２，１１３で挟み込むことにより構成されている。板材１１３は、板材１２の鏡映対象状に形成されており、テーパ面１１３ｃを備えている。
【００４５】
調光パネル１１０の端部１１０ｃについては、室Ｒ内側に板材１２のテーパ面１２ｃが配設され、通路Ａ側に板材１１３のテーパ面１１３ｃが配設されていることから、テーパ面１２ｃ，１１３ｃにおいてそれぞれに入射する光が反射・屈折する。このことから、実施例１の調光パネル１０よりも、端部１１０ｃを介して通路Ａ側から室Ｒ内側が見え難くなっている。すなわち、調光パネル１１０の端部１１０ｃにおける視認性をより低減することができる。
【実施例３】
【００４６】
次いで、実施例３に係る調光パネル２１０につき、図７を参照して詳しく説明する。尚、前記実施例１，２と同一構成で重複する構成を省略する。また、複数の調光パネル２１０，２１０，…を連接した間仕切パネル装置については、調光パネル２１０以外の構成が図１，２と同様であるため、図示・説明を省略する。
【００４７】
調光パネル２１０の板材２１２は、テーパ面２１２ｃがあらずり加工がなされており、微細凹凸２１２ｆが形成されている。これにより、テーパ面２１２ｃの微細凹凸２１２ｆによって、透明度が低い状態の透光率制御シート１１のように光が拡散反射されるため、テーパ面２１２ｃにおける透明度を低下させることにより、スリガラスのような白濁状態となる。これにより、調光パネル２１０の側端面２１０ｂ（板材２１２の側端面２１２ｂおよび板材１３の側端面１３ｂ）側において、室Ｒ内側から通路Ａ側、および、通路Ａ側から室Ｒ内側への視認性が低下されている。
【００４８】
尚、実施例２の調光パネル１１０のように、２枚の板材それぞれのテーパ面が形成されている態様であれば、それぞれのテーパ面にあらずり加工がなされていてもよく、一方のテーパ面のみあらずり加工がなされていてもよい。
【００４９】
以上、本発明の実施例１〜３を図面により説明してきたが、具体的な構成はこれら実施例１〜３に限られるものではなく、本発明の要旨を逸脱しない範囲における変更や追加があっても本発明に含まれる。
【００５０】
例えば、前記実施例１〜３では、透光率制御シート１１は、電力が印加された際に透明状態となり、電力が印加されない際に透明度が低い状態となる態様として説明したが、これに限らず、電力が印加された際に透明度が低い状態となり、電力が印加されない際に透明状態となる態様であってもよく、電力ではなく磁力によって透明度が変化する態様であってもよい。
【００５１】
また、透光率制御シート１１は、液晶体１４と電極板１５，１６とから構成される態様として説明したが、これに限らず、透明液晶ディスプレイや有機ＥＬディスプレイであってもよい。
【００５２】
テーパ面は、平面状であるとして説明してきたが、これに限らず、曲面状であってもよく、多角形状であってもよく、その形状を限定するものではない。また、板材１２の側端面１２ｂの厚み寸法Ｔ３については、０であってもよい。さらに、板材の幅方向一方の端部にだけ形成されていてもよい。
【００５３】
板材１２のテーパ面１２ｃは、板材１２の表面１２ａに対して略垂直方向において、透光率制御シート１１の側端面１１ｂと重なっている態様として説明したが、これに限らず、境界部１２ｄにおいて透光率制御シート１１の側端面１１ｂと重なっている態様であってもよく、すなわち幅寸法Ｗ５が幅寸法Ｗ４以上であればよい。
【００５４】
間仕切パネル装置１は、複数の調光パネル１０，１０，…が該調光パネル１０の幅方向に連接されて成る態様として説明したが、これに限らず、上下方向に連接されている態様であってもよく、この態様の際には、調光パネルの上下側の端面にテーパ面が形成されていればよい。また、隣接する調光パネル１０，１０は、接続部材４で連結されている態様として説明したが、これに限らず、調光パネル１０を挿嵌可能な溝部を備えるフレーム部材によって連結されていてもよい。さらに、調光パネル１０を該調光パネル１０の厚み方向に複数配設してもよい。
【００５５】
本実施例において、連接パネル装置は間仕切パネル装置である態様として説明したが、これに限らず、立設可能な衝立であってもよく、床から天井に亘っていなくともよく、室Ｒを構成しなくともよい。
【符号の説明】
【００５６】
１                間仕切パネル装置（連接パネル装置）
４                接続部材
１０              調光パネル
１０ｃ            端部
１１              透光率制御シート
１２              板材
１２ａ            表面
１２ｂ，１２ｂ    側端面
１２ｃ，１２ｃ’  テーパ面
１２ｄ            境界部
１３              板材
１１０            調光パネル
１１３            板材
１１３ｃ          テーパ面
２１０            調光パネル
２１２ｃ          テーパ面
２１２ｆ          微細凹凸
Ａ                通路
Ｃ                天井
Ｆ                床面
Ｒ                室
Ｌ１              光
Ｔ１              厚み寸法
Ｔ２              厚み寸法
Ｔ３              厚み寸法
Ｔ４              厚み寸法
Ｔ５              厚み寸法
Ｓ１              長辺（第１辺）
Ｓ２              短辺（第２辺）
Ｗ１              幅寸法
Ｗ２              幅寸法
Ｗ３              幅寸法
Ｗ４              幅寸法
Ｗ５              幅寸法
【図１】
2019082579.tif 000003
【図２】
2019082579.tif 000004
【図３】
2019082579.tif 000005
【図４】
2019082579.tif 000006
【図５】
2019082579.tif 000007
【図６】
2019082579.tif 000008
【図７】
2019082579.tif 000009